(57)【特許請求の範囲】
【請求項１】
特にベルト層および／またはトレッド層、または複数の金属部品を備えている他のタイヤ構成部材を、外周全体となるように作り上げるベルトおよびトレッドドラムであって、
前記タイヤ構成部材用の支持表面を備え、前記ドラムの外周に配置されている１つ以上の支持部材を有し、前記支持部材はそれぞれ前記支持表面に開口する貫通孔を備え、前記支持部材は、前記金属部品を磁力で引き付けることによって前記タイヤ構成部材を前記支持表面上に保持する複数の磁石を有している磁石の組を備え、前記磁石の組は前記磁石用の複数の容器を有し、かつ前記支持部材内に半径方向内側から配置されており、前記ドラムは外周面に、前記複数の容器にわたって前記ドラムの接線方向および／または軸線方向に係合する第１の部分を有し、前記ドラムは外周面に、前記複数の磁石にわたって前記ドラムの接線方向および／または軸線方向に係合する第２の部分を有し、前記磁石は、前記貫通孔内に延在する上面を有し、前記磁石の前記上面は前記支持表面と整合している、ベルトおよびトレッドドラム。
【請求項２】
前記ドラムの前記第１の部分は前記複数の支持表面の一部である、請求項１に記載のベルトおよびトレッドドラム。
【請求項３】
前記ドラムの前記第２の部分は前記複数の支持表面の一部である、請求項２に記載のベルトおよびトレッドドラム。
【請求項４】
前記磁石の上面は、前記タイヤ構成部材に対する前記支持表面の一部である、請求項１に記載のベルト
およびトレッドドラム。
【請求項５】
前記支持表面は前記複数の支持部材と一体に形成されている、請求項１に記載のベルトおよびトレッドドラム。
【請求項６】
前記ドラムの前記第２の部分は前記容器によって形成されている、請求項１に記載のベルトおよびトレッドドラム。
【請求項７】
前記ドラムの前記第１および／または第２の部分は、前記磁石の容器および／または前記磁石に形成されている相補形状のくさび状平面と共働する、斜めになったくさび状平面をそれぞれ形成している、請求項１に記載のベルトおよびトレッドドラム。
【請求項８】
前記容器はトレイ形状である、請求項１に記載のベルトおよびトレッドドラム。
【請求項９】
前記容器は鋼で製造されている、請求項１に記載のベルトまたはトレッドドラム。
【発明の詳細な説明】
【技術分野】
【０００１】
本発明はベルトおよびトレッドドラムに関する。本発明は、特に、ベルト層とトレッド層を外周全体となるように作り上げるために配置可能なドラムに関する。
【背景技術】
【０００２】
ドラム上に配置されているタイヤ構成部材に組み込まれている鋼製ワイヤなどの金属部品への磁気的な影響によって、タイヤ構成部材をドラム表面上に保持するために複数の磁石を備えているベルトとトレッドドラムが公知である。ドラム表面は、各々が多数の磁石を備えている平行で長い一連の支持部材によって形成されている。支持部材は、ドラム上に個々に取り付けられ、半径方向外側に、磁石がトレイ形状の鋼製の容器を介して収容されている長い凹部が設けられている。磁石は容器内に接着され、容器は凹部内に接着されている。
【発明の開示】
【発明が解決しようとする課題】
【０００３】
このようなベルトおよびトレッドドラムは動作中に高速で回転し、その結果、相当な遠心力が容器と磁石にかかる。摩耗／疲労のためであってもよく、そうでなくてもよい、接着剤による接合の不良の結果として、場合によっては容器を含む磁石がドラムから脱落したりドラムからぶら下がることがある。これは非常に大きな安全上の問題である。
【０００４】
本発明の目的はこれを改善することである。
【課題を解決するための手段】
【０００５】
そのため、本発明の一実施態様では、特にベルト層および／またはトレッド層、または複数の金属部品を備えている他のタイヤ構成部材を、外周全体となるように作り上げるベルトおよびトレッドドラムであって、タイヤ構成部材用の支持表面を備え、ドラムの外周に配置されている１つ以上の支持部材を有し、支持部材は、金属部品を磁力で引き付けることによってタイヤ構成部材を支持表面上に保持する複数の磁石を有している磁石の組を備え、磁石の組は磁石用の複数の容器を有し、かつ支持部材内に半径方向内側から配置されており、ドラムは外周面に、複数の容器にわたってドラムの接線方向および／または軸線方向に係合する第１の部分を有し、ドラムは外周面に、複数の磁石にわたってドラムの接線方向および／または軸線方向に係合する第２の部分を有している、ベルトおよびトレッドドラムを提供する。
【０００６】
前記した公知のベルトおよびトレッドドラムに比べると、磁石の組は、支持表面とは反対側である内側から支持部材内に配置されている。その結果、磁石は、ドラムから不用意に外れることがないように、半径方向外向きに止められている。したがって、好ましくはトレイ形状である容器も、簡単で信頼性の高い方法で、半径方向外側に対して止められている。
【０００７】
米国特許明細書第４，９２３，５５４号から、支持部材はドラムの直径を大きくするように半径方向に広がることができ、半径方向に広がった位置にある支持部材同士の間の中間スペースを覆うために当該支持部材の周方向に延びているカバープレートが支持部材に取り付けられているベルトドラムが公知であることが判る。カバープレートは支持表面を形成し、かつ支持部材の下部にある長い凹部を覆い、この凹部は外側に対して半径方向に開口している。前記凹部内には、プレートに取り付けられている磁石が半径方向外側から配置されている。
【０００８】
構造が単純になるように、ドラムの第１の部分および／または第２の部分は、複数の支持表面の一部であることが好ましい。
【０００９】
第１の部分または支持表面は複数の磁石の全面にわたって延びていることが好ましい。それによって、構造がさらに単純になるだけでなく、当該支持表面が複数の磁石にわたって連続する支持表面を提供する。
【００１０】
単純で、組み立てが簡単で、ユーザにとって安全性が高い実施態様では、支持表面は支持部材と一体に形成されている。
【００１１】
第２の部分は、支持部材によって形成されている支持表面の代わりに、またはそれらに加えて、容器によって形成されていてもよい。
【００１２】
本発明のベルトおよびトレッドドラムのさらに発展した態様においては、ドラムの第１および／または第２の部分は、磁石の容器および／または磁石に形成されている相補形状のくさび状平面と共働する、斜めになったくさび状平面をそれぞれ形成している。くさび状平面は、半径方向外向きの単純で信頼性の高い閉じ込めを提供し、半径方向内側に揃えられた方向性のある構成部材を有している。
【００１３】
容器は鋼で製造されていることが好ましく、それにより磁石の効果が増大する。
【００１４】
本発明の他の態様は、特にベルト層および／またはトレッド層、または複数の金属部品を備えている他のタイヤ構成部材を、外周全体となるように作り上げるベルトまたはトレッドドラムであって、タイヤ構成部材用の支持表面を備え、ドラムの外周に配置されている１つ以上の支持部材を有し、支持部材は、金属部品を磁力で引き付けることによってタイヤ構成部材を支持表面上に保持する複数の磁石を有している磁石の組と、磁石用の複数の容器とを備え、ドラムは外周面に、支持部材と一体に形成されている閉じ込め部分を有しており、閉じ込め部分は、磁石および／または容器をドラムの半径方向外側の向きにおいて閉じ込めている、特ベルトまたはトレッドドラムを提供する。
【００１５】
複数の容器自体は、複数の磁石にわたってドラムの接線方向および／または軸線方向に係合するような閉じ込め部分を形成することもできる。
【００１６】
容器は、半径方向内側から塗布された接着剤によって支持部材内に固定可能である。
【００１７】
これらの場合、閉じ込め部分を、磁石および／または容器上のくさび状平面と共働するくさび状平面によって形成することも可能である。
【００１８】
支持表面が磁石の位置にマーキングを備えている場合、オペレータは−前記した連続する支持表面がある場合でさえ−磁石がドラム内のどこに位置するかを容易に知って、タイヤの構成部材を正しく配置することができる。
【００１９】
本発明の他の態様は、特にベルト層および／またはトレッド層、または複数の金属部品を備えている他のタイヤ構成部材を、外周全体となるように作り上げるベルトおよびトレッドドラムであって、タイヤ構成部材用の支持表面を備え、ドラムの外周に配置されている１つ以上の支持部材を有しており、金属部品を磁力で引き付けることによってタイヤ構成部材を支持表面上に保持する複数の磁石が支持部材内に収容されており、支持部材は、複数の磁石にわたってドラムの接線方向および／または軸線方向に係合する、支持表面と一体に形成されている部分を有している、ベルトおよびトレッドドラムを提供する。
【００２０】
好ましくは、磁石は、支持部材内に半径方向内側から配置された容器内に収容されており、支持部材は外周面に、複数の磁石および／または複数の容器にわたってドラムの接線方向および／または軸線方向に係合する部分を有している。
【００２１】
前記した部分は支持表面の一部でもあることが好ましい。
【００２２】
本発明はさらに、本発明によるベルトおよびトレッドドラムにおいて用いられるようになっており、かつ適している支持部材を提供する。
【発明を実施するための最良の形態】
【００２３】
本発明について、添付の図面に示されている例示的な実施形態に基づいて説明する。
【００２４】
図１に部分的に示されているベルトとトレッドドラム１は、追加して示されてはいない手段によってＡ方向に非常に高速で回転可能な支持／駆動軸２を有している。ドラム表面３はセグメント、つまり磁石が収容されている支持部材４からなる。ドラム１の高速回転中に、前記磁石は、ドラム表面３上に配置されているタイヤの構成部材（不図示）を保持することができる。このこと自体は公知である。支持部材４は、ドラム１に取り外し可能に取り付けられている。
【００２５】
本発明による、考えられる２つの支持部材４ａ，４ｂが、図２および４と、３および５にそれぞれ示されている。
【００２６】
図２の支持部材４ａは、ドラムの半径方向外側であって、図面中で考えると上側に、閉じた表面を形成しているアルミニウムボディ５ａを有している。アルミニウムボディ５ａ内に形成されている凹部にはＢ側から手を届かせることができ、この凹部は実際には止まり穴４０を形成している。前記凹部４０内には、内部に磁石７ａが接着剤で取り付けられている１対の鋼製トレイ８ａが収容されている。磁石７ａの上面６は、当該トレイ８ａの上面に揃えられている。アルミニウムボディ５ａと一体に形成されている支持表面１１ａは、その全体にわたって延びている。磁石７ａとトレイ８ａは、前記した通りアルミニウムがそれらにわたって連続しているため、アルミニウム材料によって外側に対して閉じ込められていることがわかる。
【００２７】
トレイ８ａは、アルミニウムボディ５ａ内の段部１８ａ，１９ａ内に嵌め込まれている。その周囲に、内側Ｂから、トレイ８ａをアルミニウムボディ５ａ内に固定する接着剤層９が塗布され、接着剤は段部１８ａ，１９ａの表面１２ａ，１３ａまで上に広がってもよい。
【００２８】
図１および４でもわかるように、上側には、長いマーキング２０が支持表面１１ａ内に配置されている。
【００２９】
図４には、支持部材４ａが、ドラム３上への取り付け用の穴２２と、ドラム３の直径の増大／縮小が必要であれば、一連の追加の支持部材４ａを既存の支持部材４ａ上に取り付けることができ、かつそれらから再度取り外すことができるようにする穴２１とともに示されている。
【００３０】
図３および５に示されている支持部材４ｂの他の実施形態では、アルミニウムボディ５ｂは止まり穴ではなく、貫通穴を形成している。この場合、穴は、傾斜平面１４を備えている肩部１８ｂ，１９ｂによって外表面の位置に限られており、これらの傾斜平面はトレイ８ｂの縁部に形成されている傾斜平面１５と共働することができる。トレイ８ｂ自体は、対応する傾斜形状に形成された磁石７ｂが各々の間に長手方向に挿入されている、わずかに先細になった複数の壁３０を備えている。したがって、磁石７ｂは、くさび作用によって半径方向外側に対して止められ、容器８ｂも、傾斜平面１４と１５の間の接触によって半径方向外側に対して止められている。
【００３１】
この場合も、磁石７ｂを有している容器８ｂは、アルミニウムボディ５ｂ内に内側からＢ方向に挿入され、その後、接着剤９で固定されている。したがって、例えば、図５に示されているように、支持部材４ａと同じ方法でドラム１に固定できる支持部材４ｂが得られる。支持部材４ｂの場合、磁石７ｂの表面６は、アルミニウムボディ５ｂの表面内まで延びることになる。そのため、図１からわかるように、マーキングは必要ない。
【００３２】
図２の発明は、図３の磁石を閉じ込める方法によって補うことができる。
【００３３】
さらに、アルミニウムボディ自体が磁石用のくさび状の閉じ込め部と、磁石用の容器を閉じ込める段部またはくさび状平面とを形成する実施形態も可能である。
【００３４】
図１には、磁石の位置が軸方向に移動している、支持部材４ａに類似した支持部材４ｃと４ｄがドラム１上に配置可能であることがさらに示されている。この構成はタイヤの構成部材のひし形形状と関連があり、先細の先端部と先細の後端部の問題が存在する。マーキング２０によって、オペレータは先細の先端部を正しく配置することができる。
【図面の簡単な説明】
【００３５】
【図１】例示のために本発明による数種類の支持表面を含んでいる、本発明によるベルトとトレッドドラムの部分斜視図である。
【図２】本発明による支持部材の第１の実施形態の断面図である。
【図３】本発明による支持部材の考えられる第２の実施形態の断面図である。
【図４】図２のＩＶに従って見た図である。
【図５】図３のＶに従って見た図である。
【図１】
0004409437.tif 000002
【図２】
0004409437.tif 000003
【図３】
0004409437.tif 000004
【図４】
0004409437.tif 000005
【図５】
0004409437.tif 000006